(57)【要約】【課題】どのような場所においても簡単に通信サービスの提供先を切り替えることができる通信サービス提供先切り替えシステム及び通信サービス提供先切り替え方法を提供すること。【解決手段】車両のエンジンがＯＦＦになったことを検知し、エンジンがＯＦＦになったときに、携帯端末１への通信サービスの提供先の切り替え指示の旨の信号を移動通信センタ５に送信する。あるいは、携帯端末１において、車載装置３との間で近距離通信ができるかどうかを監視し、前記車載装置３との間で前記近距離通信ができなくなったときに、前記携帯端末１への通信サービスの提供先の切り替え指示の旨の信号を移動通信センタ５に送信する。その後、前記移動通信センタ５において、前記切り替え指示に応じて前記通信サービスの提供先を切り替え、前記通信サービスの提供先の切り替え通知を前記携帯端末１に送信する。【選択図】図１
2008294864.tif 000002
【特許請求の範囲】
【請求項１】
携帯端末装置と車両に搭載された車載装置との間で通信サービスの提供先を切り替える移動通信センタを備えた通信サービス提供先切り替えシステムであって、
前記車載装置は、前記車両のエンジンがＯＦＦになったことを検知する検知手段、及びエンジンがＯＦＦになったときに、前記携帯端末装置への通信サービスの提供先の切り替え指示の旨の信号を送信する送信手段を有し、
前記移動通信センタは、前記切り替え指示に応じて前記通信サービスの提供先を切り替える切り替え手段、及び前記通信サービスの提供先の切り替え通知を前記携帯端末装置に送信する送信手段を有する、
ことを特徴とする通信サービス提供先切り替えシステム。
【請求項２】
前記車載装置から前記移動通信センタへの前記切り替え指示の旨の信号が無線ＬＡＮにより送信されることを特徴とする請求項１記載の通信サービス提供先切り替えシステム。
【請求項３】
前記車載装置及び前記携帯端末装置が近距離通信手段を備えており、前記切り替え指示の旨の信号が前記車載装置から前記携帯端末装置まで近距離通信により送信され、前記携帯端末装置から前記移動通信センタまで無線ＬＡＮにより送信されることを特徴とする請求項１記載の通信サービス提供先切り替えシステム。
【請求項４】
携帯端末装置と車両に搭載された車載装置との間で通信サービスの提供先を切り替える移動通信センタを備えた通信サービス提供先切り替えシステムであって、
前記携帯端末装置は、前記車載装置との間で近距離通信を行う近距離通信手段、及び前記車載装置との間で近距離通信ができなくなったときに、前記携帯端末装置への通信サービスの提供先の切り替え指示の旨の信号を送信する送信手段を有し、
前記移動通信センタは、前記切り替え指示に応じて前記通信サービスの提供先を切り替える切り替え手段、及び前記通信サービスの提供先の切り替え通知を前記携帯端末装置に送信する送信手段を有する、
ことを特徴とする通信サービス提供先切り替えシステム。
【請求項５】
前記携帯端末装置から前記移動通信センタへの前記切り替え指示の旨の信号が無線ＬＡＮにより送信されることを特徴とする請求項４記載の通信サービス提供先切り替えシステム。
【請求項６】
前記携帯端末装置は、前記通信サービスの提供先の切り替え通知を受信したときに演出を行う演出手段を有することを特徴とする請求項１から請求項５のいずれかに記載の通信サービス提供先切り替えシステム。
【請求項７】
車載装置において、車両のエンジンがＯＦＦになったことを検知する工程と、エンジンがＯＦＦになったときに、携帯端末装置への通信サービスの提供先の切り替え指示の旨の信号を移動通信センタに送信する工程と、前記移動通信センタにおいて、前記切り替え指示に応じて前記通信サービスの提供先を切り替える工程と、前記通信サービスの提供先の切り替え通知を前記携帯端末装置に送信する工程と、を具備することを特徴とする通信サービス提供先切り替え方法。
【請求項８】
携帯端末装置において、車載装置との間で近距離通信ができるかどうかを監視する工程と、前記車載装置との間で前記近距離通信ができなくなったときに、前記携帯端末装置への通信サービスの提供先の切り替え指示の旨の信号を移動通信センタに送信する工程と、前記移動通信センタにおいて、前記切り替え指示に応じて前記通信サービスの提供先を切り替える工程と、前記通信サービスの提供先の切り替え通知を前記携帯端末装置に送信する工程と、を具備することを特徴とする通信サービス提供先切り替え方法。
【請求項９】
前記移動通信センタへの前記切り替え指示の旨の信号が無線ＬＡＮにより送信されることを特徴とする請求項７又は請求項８記載の通信サービス提供先切り替え方法。
【請求項１０】
前記切り替え指示の旨の信号が前記車載装置から前記携帯端末装置まで近距離通信により送信され、前記携帯端末装置から前記移動通信センタまで無線ＬＡＮにより送信されることを特徴とする請求項７又は請求項８記載の通信サービス提供先切り替え方法。
【請求項１１】
前記携帯端末装置において、前記通信サービスの提供先の切り替え通知を受信したときに演出を行う工程を有することを特徴とする請求項７から請求項１０のいずれかに記載の通信サービス提供先切り替え方法。
【発明の詳細な説明】
【技術分野】
【０００１】
本発明は通信サービス提供先切り替えシステム及び通信サービス提供先切り替え方法に関し、特に、通信サービスを提供する先を、ユーザの携帯端末と、車両に搭載される車載装置とで適宜切り替える通信サービス提供先切り替えシステム及び通信サービス提供先切り替え方法に関する。
【背景技術】
【０００２】
近年、通信サービスを提供する先を、ユーザの携帯端末と、車両に搭載される車載装置とで適宜切り替える通信システムが開発されている（特許文献１）。この通信システムにおいては、通信サービスを提供する先を携帯端末にするか車載装置にするかをネットワーク側で管理している。
【特許文献１】特開２００６−２９５８０９号公報
【発明の開示】
【発明が解決しようとする課題】
【０００３】
しかしながら、このような通信システムにおいては、例えば、移動通信の圏外である場合に、ユーザが車両から降車したときには、車載装置から携帯端末に通信サービスの提供先を切り替える操作を行う必要があり、どのような場所においても簡単に通信サービスの提供先を切り替えることができないという問題がある。
【０００４】
本発明はかかる点に鑑みてなされたものであり、どのような場所においても簡単に通信サービスの提供先を切り替えることができる通信サービス提供先切り替えシステム及び通信サービス提供先切り替え方法を提供することを目的とする。
【課題を解決するための手段】
【０００５】
本発明の通信サービス提供先切り替えシステムは、携帯端末装置と車両に搭載された車載装置との間で通信サービスの提供先を切り替える移動通信センタを備え、前記車載装置は、前記車両のエンジンがＯＦＦになったことを検知する検知手段、及びエンジンがＯＦＦになったときに、前記携帯端末装置への通信サービスの提供先の切り替え指示の旨の信号を送信する送信手段を有し、前記移動通信センタは、前記切り替え指示に応じて前記通信サービスの提供先を切り替える切り替え手段、及び前記通信サービスの提供先の切り替え通知を前記携帯端末装置に送信する送信手段を有することを特徴とする。
【０００６】
この構成によれば、ユーザが車両を降車すること、すなわちエンジンがＯＦＦになったことを検知したときに、通信サービス提供先を切り替える指示を移動通信センタに送信し、移動通信センタで通信サービス提供先を切り替えた後に、切り替え通知を携帯端末に送信するので、どのような場所においても簡単に通信サービスの提供先を切り替えることができる。
【０００７】
本発明の通信サービス提供先切り替えシステムにおいては、前記車載装置から前記移動通信センタへの前記切り替え指示の旨の信号が無線ＬＡＮにより送信されることが好ましい。
【０００８】
本発明の通信サービス提供先切り替えシステムにおいては、前記車載装置及び前記携帯端末装置が近距離通信手段を備えており、前記切り替え指示の旨の信号が前記車載装置から前記携帯端末装置まで近距離通信により送信され、前記携帯端末装置から前記移動通信センタまで無線ＬＡＮにより送信されることが好ましい。
【０００９】
本発明の通信サービス提供先切り替えシステムは、携帯端末装置と車両に搭載された車載装置との間で通信サービスの提供先を切り替える移動通信センタを備え、前記携帯端末装置は、前記車載装置との間で近距離通信を行う近距離通信手段、及び前記車載装置との間で近距離通信ができなくなったときに、前記携帯端末への通信サービスの提供先の切り替え指示の旨の信号を送信する送信手段を有し、前記移動通信センタは、前記切り替え指示に応じて前記通信サービスの提供先を切り替える切り替え手段、及び前記通信サービスの提供先の切り替え通知を前記携帯端末装置に送信する送信手段を有することを特徴とする。
【００１０】
この構成によれば、ユーザが車両を降車すること、すなわち携帯端末と車載装置との間で近距離通信ができなくなったことを検知したときに、通信サービス提供先を切り替える指示を移動通信センタに送信し、移動通信センタで通信サービス提供先を切り替えた後に、切り替え通知を携帯端末に送信するので、どのような場所においても簡単に通信サービスの提供先を切り替えることができる。
【００１１】
本発明の通信サービス提供先切り替えシステムにおいては、前記携帯端末装置から前記移動通信センタへの前記切り替え指示の旨の信号が無線ＬＡＮにより送信されることが好ましい。
【００１２】
本発明の通信サービス提供先切り替えシステムにおいては、前記携帯端末装置は、前記通信サービスの提供先の切り替え通知を受信したときに演出を行う演出手段を有することが好ましい。
【００１３】
本発明の通信サービス提供先切り替え方法は、車載装置において、車両のエンジンがＯＦＦになったことを検知する工程と、エンジンがＯＦＦになったときに、携帯端末装置への通信サービスの提供先の切り替え指示の旨の信号を移動通信センタに送信する工程と、前記移動通信センタにおいて、前記切り替え指示に応じて前記通信サービスの提供先を切り替える工程と、前記通信サービスの提供先の切り替え通知を前記携帯端末装置に送信する工程と、を具備することを特徴とする。
【００１４】
本発明の通信サービス提供先切り替え方法は、携帯端末装置において、車載装置との間で近距離通信ができるかどうかを監視する工程と、前記車載装置との間で前記近距離通信ができなくなったときに、前記携帯端末装置への通信サービスの提供先の切り替え指示の旨の信号を移動通信センタに送信する工程と、前記移動通信センタにおいて、前記切り替え指示に応じて前記通信サービスの提供先を切り替える工程と、前記通信サービスの提供先の切り替え通知を前記携帯端末装置に送信する工程と、を具備することを特徴とする。
【００１５】
これらの方法によれば、ユーザが車両を降車すること、すなわちエンジンがＯＦＦになったこと、携帯端末と車載装置との間で近距離通信ができなくなったこと、を検知したときに、通信サービス提供先を切り替える指示を移動通信センタに送信し、移動通信センタで通信サービス提供先を切り替えた後に、切り替え通知を携帯端末に送信するので、どのような場所においても簡単に通信サービスの提供先を切り替えることができる。
【００１６】
本発明の通信サービス提供先切り替え方法によれば、前記移動通信センタへの前記切り替え指示の旨の信号が無線ＬＡＮにより送信されることが好ましい。
【００１７】
本発明の通信サービス提供先切り替え方法によれば、前記切り替え指示の旨の信号が前記車載装置から前記携帯端末装置まで近距離通信により送信され、前記携帯端末装置から前記移動通信センタまで無線ＬＡＮにより送信されることが好ましい。
【００１８】
本発明の通信サービス提供先切り替え方法によれば、前記携帯端末装置において、前記通信サービスの提供先の切り替え通知を受信したときに演出を行う工程を有することが好ましい。
【発明の効果】
【００１９】
本発明によれば、車載装置において、車両のエンジンがＯＦＦになったことを検知し、エンジンがＯＦＦになったときに、携帯端末装置への通信サービスの提供先の切り替え指示の旨の信号を移動通信センタに送信し、前記移動通信センタにおいて、前記切り替え指示に応じて前記通信サービスの提供先を切り替え、前記通信サービスの提供先の切り替え通知を前記携帯端末装置に送信する、あるいは、携帯端末装置において、車載装置との間で近距離通信ができるかどうかを監視し、前記車載装置との間で前記近距離通信ができなくなったときに、前記携帯端末装置への通信サービスの提供先の切り替え指示の旨の信号を移動通信センタに送信し、前記移動通信センタにおいて、前記切り替え指示に応じて前記通信サービスの提供先を切り替え、前記通信サービスの提供先の切り替え通知を前記携帯端末装置に送信するので、どのような場所においても簡単に通信サービスの提供先を切り替えることができる。
【発明を実施するための最良の形態】
【００２０】
以下、本発明の実施の形態について、添付図面を参照して詳細に説明する。
図１は、本発明の実施の形態に係る通信サービス提供先切り替えシステムを説明するための概略構成を示す図である。図１に示すシステムは、通信サービス提供先である携帯端末１及び車載装置３と、携帯端末１及び車載装置３と移動通信網２を介して接続された移動通信センタ５と、移動通信センタ５と無線ＬＡＮ（Local Area Network）通信におけるアクセスポイント（ＡＰ）４とから主に構成されている。
【００２１】
携帯端末１は、複数の通信方式のインタフェース、例えば移動通信用のインタフェース、無線ＬＡＮ用のインタフェース及びBluetooth（登録商標）、Zigbee（登録商標）、赤外線通信などの近距離通信用のインタフェースを備えている。なお、無線ＬＡＮ用のインタフェース、近距離通信用のインタフェースについては、いずれかを備えていても良く、その両者を備えていても良い。また、携帯端末１は、オペレーティングシステム（移動機ＯＳ）を有しており、移動機ＯＳ上でブラウザ機能、ビューワ機能、ＪＡＭ（Java（登録商標）  Application  Manager）その他の機能が動作する。また、携帯端末１は、通常の電話機能及びメール機能を備えている。
【００２２】
車載装置３は、車両に搭載されており、複数の通信方式のインタフェース、例えば移動通信用のインタフェース、無線ＬＡＮ用のインタフェース及びBluetooth、Zigbee、赤外線通信などの近距離通信用のインタフェースを備えている。なお、無線ＬＡＮ用のインタフェース、近距離通信用のインタフェースについては、いずれかを備えていても良く、その両者を備えていても良い。
【００２３】
車両には、車載装置３の他にカーナビゲーション装置が搭載されており、車載装置３とカーナビゲーション装置とが互いに連携することによって、携帯端末１と略同様に移動通信網２を介して通信サービスを受けることが可能に構成されている。
【００２４】
移動通信網２は、携帯端末１と移動通信センタ５との間のネットワークである。この移動通信網２には、通常の移動通信網に加えて移動パケット通信網も含まれる。また、移動通信センタ５は、例えばｉモード（登録商標）サーバなどを有すると共に、移動通信網２とインターネットのような他のネットワークとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２５】
図２は、図１に示すシステムにおける携帯端末の概略構成を示すブロック図である。なお、図２に示す構成は、本発明を説明するために簡略化したものであり、通常の携帯端末に搭載される構成要素は備えているものとする。
【００２６】
携帯端末１は、装置全体を制御する制御部１１と、移動通信網２を介して移動通信センタ５との間で移動通信により通信を行うと共にＡＰ４経由で移動通信センタ５との間で無線ＬＡＮにより通信を行う通信制御部１２と、種々のデータを表示する表示部１３と、種々の操作を行う操作部１４と、光、振動、音などで演出を行う演出部１５と、通信インタフェースを切り替えるベアラ切り替え部１６と、車載装置３との間で認証を行う認証部１７と、車載装置３との間で近距離通信を行う近距離通信部１８と、装置に搭載され、あるいはダウンロードされた種々のアプリケーションを起動するアプリ制御部１９とから主に構成されている。
【００２７】
通信制御部１２は、移動通信用インタフェースにより移動通信網２を介して移動通信センタ５と通信を行う。また、通信制御部１２は、無線ＬＡＮ用インタフェースによりＡＰ４を経て移動通信センタ５と無線ＬＡＮで通信を行う。通信制御部１２は、車載装置３との間の近距離通信ができなくなったときに、携帯端末１への通信サービスの提供先の切り替え指示の旨の信号を移動通信センタ５に送信する。また、通信制御部１２は、移動通信センタ５で通信サービスの提供先を切り替えた旨の切り替え通知を移動通信センタ５から受信する。
【００２８】
演出部１５は、携帯端末１において、ＬＥＤなどの発光素子を照光させたり、バイブレータで振動させたり、音を鳴らしたりする。演出部１５は、携帯端末１が移動通信センタ５から切り替え通知を受信したときに前記演出を行う。
【００２９】
ベアラ切り替え部１６は、移動通信の圏外である場合に、必要に応じて、移動通信用のインタフェースと無線ＬＡＮ用のインタフェースとを切り替える。すなわち、通信制御部１２で移動通信の圏外であると判定されると、ベアラ切り替え部１６は、その判定結果に基づいて移動通信用のインタフェースから無線ＬＡＮ用のインタフェースに切り替える。また、通信制御部１２で移動通信の圏内であると判定されると、ベアラ切り替え部１６は、その判定結果に基づいて無線ＬＡＮ用のインタフェースから移動通信用のインタフェースに切り替える。
【００３０】
認証部１７は、車載装置３との間でセッションを張って認証処理を行う。認証処理については特に制限はなく、例えばＩＤやパスワードによる認証処理が挙げられる。
【００３１】
近距離通信部１８は、Bluetooth、Zigbee、赤外線通信などの近距離通信用のインタフェースであり、車載装置３の近距離通信部との間で近距離通信を行う。近距離通信部１８は、定期的に車載装置３に近距離通信で監視信号を送信し、この監視信号に対する確認信号を受信する。そして、近距離通信部１８は、監視信号に対する確認信号が受信できなかったときに、すなわち車載装置３との間の近距離通信ができなくなったときに、ユーザが降車したとして、携帯端末１への通信サービスの提供先の切り替え指示の旨の信号を移動通信センタ５に送信するように指示する。
【００３２】
アプリ制御部１９は、装置に搭載され、あるいはダウンロードされた通信サービス提供先切り替えアプリケーションを起動させる。通信サービス提供先切り替えアプリケーションは、携帯端末１への通信サービスの提供先の切り替え指示の旨の信号を送信し、移動通信センタ５で通信サービスの提供先の切り替えた旨の通知を受信するアプリケーションである。
【００３３】
図３は、図１に示すシステムにおける車載装置の概略構成を示すブロック図である。なお、図３に示す構成は、本発明を説明するために簡略化したものであり、通常の車載装置に搭載される構成要素は備えているものとする。
【００３４】
車載装置３は、装置全体を制御する制御部３１と、移動通信網２を介して移動通信センタ５との間で移動通信により通信を行うと共にＡＰ４経由で移動通信センタ５との間で無線ＬＡＮにより通信を行う通信制御部３２と、種々のデータを表示する表示部３３と、種々の操作を行う操作部３４と、通信インタフェースを切り替えるベアラ切り替え部３５と、携帯端末１との間で認証を行う認証部３６と、エンジンがＯＦＦになったかどうかを監視するエンジン監視部３７と、携帯端末１との間で近距離通信を行う近距離通信部３８と、装置に搭載され、あるいはダウンロードされた種々のアプリケーションを起動するアプリ制御部３９とから主に構成されている。
【００３５】
通信制御部３２は、移動通信用インタフェースにより移動通信網２を介して移動通信センタ５と通信を行う。また、通信制御部３２は、無線ＬＡＮ用インタフェースによりＡＰ４を経て移動通信センタ５と無線ＬＡＮで通信を行う。通信制御部３２は、エンジンがＯＦＦになったときに、携帯端末１への通信サービスの提供先の切り替え指示の旨の信号を移動通信センタ５に送信する。
【００３６】
ベアラ切り替え部３５は、移動通信の圏外である場合に、必要に応じて、移動通信用のインタフェースと無線ＬＡＮ用のインタフェースとを切り替える。すなわち、通信制御部３２で移動通信の圏外であると判定されると、ベアラ切り替え部３５は、その判定結果に基づいて移動通信用のインタフェースから無線ＬＡＮ用のインタフェースに切り替える。また、通信制御部３２で移動通信の圏内であると判定されると、ベアラ切り替え部３５は、その判定結果に基づいて無線ＬＡＮ用のインタフェースから移動通信用のインタフェースに切り替える。
【００３７】
認証部３６は、携帯端末１との間でセッションを張って認証処理を行う。認証処理については特に制限はなく、例えばＩＤやパスワードによる認証処理が挙げられる。
【００３８】
エンジン監視部３７は、車両のエンジンがＯＦＦになるかどうかを監視し、エンジンがＯＦＦになったとき、あるいはエンジンがＯＦＦになって所定時間経過した後にに、ユーザが降車したとして、携帯端末１への通信サービスの提供先の切り替え指示の旨の信号を移動通信センタ５に送信するように指示する。
【００３９】
近距離通信部３８は、Bluetooth、Zigbee、赤外線通信などの近距離通信用のインタフェースであり、携帯端末１の近距離通信部との間で近距離通信を行う。近距離通信部３８は、携帯端末１への通信サービスの提供先の切り替え指示の旨の信号を携帯端末１に送信する。この場合、携帯端末１は、通信サービスの提供先の切り替え指示の旨の信号の中継装置となる。また、近距離通信部３８は、定期的に携帯端末１から送信された監視信号を受信したときに、携帯端末１に対して確認信号を送信する。
【００４０】
アプリ制御部３９は、装置に搭載され、あるいはダウンロードされた通信サービス提供先切り替えアプリケーションを起動させる。通信サービス提供先切り替えアプリケーションは、携帯端末１への通信サービスの提供先の切り替え指示の旨の信号を移動通信センタ５に直接又はＡＰ４や携帯端末１を介して送信するアプリケーションである。
【００４１】
図４は、図１に示すシステムにおける移動通信センタの概略構成を示すブロック図である。移動通信センタ５は、装置全体を制御する制御部５１と、移動通信網２を介して携帯端末１及び車載装置３との間で移動通信により通信を行うと共にＡＰ４経由で携帯端末１及び車載装置３との間で無線ＬＡＮにより通信を行う通信制御部５２と、通信サービスの提供先を管理する管理データベース（ＤＢ）５４の情報を更新する情報更新部５３と、通信サービスの提供先を切り替える切り替え部５５と、装置に搭載され、あるいはダウンロードされた種々のアプリケーションを起動するアプリ制御部５６とから主に構成されている。
【００４２】
通信制御部５２は、移動通信用インタフェースにより移動通信網２を介して携帯端末１と通信を行う。また、通信制御部５２は、無線ＬＡＮ用インタフェースによりＡＰ４を経て車載装置３と無線ＬＡＮで通信を行う。通信制御部５２は、通信サービスの提供先を切り替えた後に、携帯端末１への通信サービスの提供先の切り替えが完了した旨の通知（切り替え通知）を携帯端末１に送信する。
【００４３】
管理ＤＢ５４は、例えば図５に示すようなテーブルを有している。図５に示すテーブルは、ユーザ毎に通信サービスの提供先を管理したものである。なお、テーブルで管理する項目は図５に示す項目に限定されず、適宜変更することができる。
【００４４】
切り替え部５５は、携帯端末１あるいは車載装置３から送られた、通信サービス提供先切り替え指示に応じ、通信サービスの提供先を切り替える。すなわち、通信制御部５２で通信サービス提供先切り替え指示を受信すると、切り替え部５５は、通信サービスの提供先を切り替える。通信サービスの提供先が切り替わると、情報更新部５３により、管理ＤＢ５４のテーブルの項目が更新される。例えば、携帯端末１に通信サービスの提供先が切り替わると、テーブルのサービス提供先が車載装置から携帯端末に更新される。
【００４５】
アプリ制御部５６は、装置に搭載され、あるいはダウンロードされた通信サービス提供先切り替えアプリケーションを起動させる。通信サービス提供先切り替えアプリケーションは、携帯端末１又は車載装置３からの切り替え指示に応じて通信サービスの提供先を切り替え、通信サービスの提供先の切り替え通知を携帯端末１に送信するアプリケーションである。
【００４６】
本実施の形態に係る通信サービス提供先切り替えにおいては、ユーザが車両を降車すること、ここではエンジンがＯＦＦになったこと、携帯端末と車載装置との間で近距離通信ができなくなったこと、を検知したときに、通信サービス提供先を切り替える指示を種々の通信インタフェースを用いて移動通信センタに送信し、移動通信センタで通信サービス提供先を切り替えた後に、切り替え通知を携帯端末に送信するので、どのような場所においても簡単に通信サービスの提供先を切り替えることができる。
【００４７】
次に、本発明の実施の形態に係る通信サービス提供先切り替え方法について図７〜図１１を用いて説明する。図７〜図１１は、本発明の実施の形態に係る通信サービス提供先切り替え方法を説明するためのシーケンス図である。
【００４８】
本発明の通信サービス提供先切り替え方法においては、車載装置において、車両のエンジンがＯＦＦになったことを検知し、エンジンがＯＦＦになったときに、携帯端末装置への通信サービスの提供先の切り替え指示の旨の信号を移動通信センタに送信し、前記移動通信センタにおいて、前記切り替え指示に応じて前記通信サービスの提供先を切り替え、前記通信サービスの提供先の切り替え通知を前記携帯端末装置に送信する。あるいは、携帯端末装置において、車載装置との間で近距離通信ができるかどうかを監視し、前記車載装置との間で前記近距離通信ができなくなったときに、前記携帯端末装置への通信サービスの提供先の切り替え指示の旨の信号を移動通信センタに送信し、前記移動通信センタにおいて、前記切り替え指示に応じて前記通信サービスの提供先を切り替え、前記通信サービスの提供先の切り替え通知を前記携帯端末装置に送信する。
【００４９】
本発明の通信サービス提供先切り替え方法においては、車載装置３あるいは携帯端末１から移動通信センタへの切り替え指示の旨の信号は、移動通信の圏外であるかどうかで、すなわちＦＯＭＡ（登録商標）網で通信が可能かどうかで、送信態様が異なる。すなわち、ＦＯＭＡ網で通信が可能であれば、移動通信により切り替え指示の旨の信号を送信し、ＦＯＭＡ網で通信が不可能（圏外）であれば、他の通信インタフェース、例えば無線ＬＡＮや近距離通信により切り替え指示の旨の信号を送信する。
【００５０】
まず、本サービスを受けるために、携帯端末１と車載装置３との間で認証処理を行う。例えば、図６（ａ）に示すように、携帯端末１の操作部１４でコマンドを入力すると、表示部１３に識別情報であるＩＤが表示される。そして、図６（ｂ）に示すように、このＩＤを車載装置３の操作部３４で入力すると、図６（ｃ）に示すように、認証処理が行われる。
【００５１】
（送信態様１）
この態様は、ユーザが車両を降車したかどうかを車両のエンジンがＯＦＦになったかどうかで判断し、携帯端末１がＦＯＭＡ網の圏内であり、車載装置３がＦＯＭＡ網の圏外である場合の態様である。この態様について、図７に示すシーケンス図を用いて説明する。
【００５２】
まず、車両においてエンジンをＯＦＦする（ＳＴ１１）。これにより、エンジン監視部３７でエンジンがＯＦＦしたことを検知したとき、ＦＯＭＡ網の圏外であるので、ベアラ切り替え部３５で無線ＬＡＮ用のインタフェースに切り替える。そして、通信制御部３２から無線ＬＡＮにより、通信サービスの提供先を携帯端末１に切り替える旨の信号（切替解除指示信号）を移動通信センタ５に送信する。このとき、切替解除指示信号は、ＡＰ４を経由して移動通信センタ５に送信される（ＳＴ１２，ＳＴ１３）。なお、ここでは、エンジンがＯＦＦしたときにユーザが降車したと判断しているが、本発明においては、エンジンがＯＦＦして所定時間経過した時点でユーザが降車したと判断しても良い。
【００５３】
移動通信センタ５においては、切替解除指示信号を受信すると、切り替え部５５で通信サービスの提供先を携帯端末１に自動的に切り替える（切替解除）（ＳＴ１４）。そして、情報更新部５３は、管理ＤＢ５４のテーブルにおける通信サービス提供先を車載装置から携帯端末に更新する。次いで、移動通信センタ５においては、通信サービスの提供先を切り替えた旨の信号（切替解除通知）を通信制御部５２から携帯端末１に送信する（ＳＴ１５）。この場合、切替解除通知は、ＦＯＭＡ網を介して移動通信により移動通信センタ５から携帯端末１に送信される。
【００５４】
携帯端末１においては、切替解除通知を通信制御部１２で受信し、その後、演出部１５で所定の演出パターンで切替解除をユーザに報知する（ＳＴ１６）。これにより、ユーザは、通信サービスの提供先が携帯端末１に切り替わったことを認識することができる。なお、演出パターンについては特に制限はない。
【００５５】
（送信態様２）
この態様は、ユーザが車両を降車したかどうかを車両のエンジンがＯＦＦになったかどうかで判断し、携帯端末１がＦＯＭＡ網の圏内であり、車載装置３がＦＯＭＡ網の圏外である場合の態様である。この態様について、図８に示すシーケンス図を用いて説明する。
【００５６】
まず、車両においてエンジンをＯＦＦする（ＳＴ２１）。これにより、エンジン監視部３７でエンジンがＯＦＦしたことを検知したとき、近距離通信部３８で携帯端末１に近距離通信により、通信サービスの提供先を携帯端末１に切り替える旨の信号（切替解除指示信号）を携帯端末１に送信する（ＳＴ２２）。携帯端末１においては、近距離通信部１８で切替解除指示信号を受信し、移動通信センタ５に対して、通信制御部１２からＦＯＭＡ網を介して移動通信により切替解除指示信号を送信する（ＳＴ２３）。なお、ここでは、エンジンがＯＦＦしたときにユーザが降車したと判断しているが、本発明においては、エンジンがＯＦＦして所定時間経過した時点でユーザが降車したと判断しても良い。
【００５７】
移動通信センタ５においては、切替解除指示信号を受信すると、切り替え部５５で通信サービスの提供先を携帯端末１に自動的に切り替える（切替解除）（ＳＴ２４）。そして、情報更新部５３は、管理ＤＢ５４のテーブルにおける通信サービス提供先を車載装置から携帯端末に更新する。次いで、移動通信センタ５においては、通信サービスの提供先を切り替えた旨の信号（切替解除通知）を通信制御部５２から携帯端末１に送信する（ＳＴ２５）。この場合、切替解除通知は、ＦＯＭＡ網を介して移動通信により移動通信センタ５から携帯端末１に送信される。
【００５８】
携帯端末１においては、切替解除通知を通信制御部１２で受信し、その後、演出部１５で所定の演出パターンで切替解除をユーザに報知する（ＳＴ２６）。これにより、ユーザは、通信サービスの提供先が携帯端末１に切り替わったことを認識することができる。なお、演出パターンについては特に制限はない。
【００５９】
（送信態様３）
この態様は、ユーザが車両を降車したかどうかを車両のエンジンがＯＦＦになったかどうかで判断し、携帯端末１及び車載装置３がいずれもＦＯＭＡ網の圏外である場合の態様である。この態様について、図９に示すシーケンス図を用いて説明する。
【００６０】
まず、車両においてエンジンをＯＦＦする（ＳＴ３１）。これにより、エンジン監視部３７でエンジンがＯＦＦしたことを検知したとき、近距離通信部３８で携帯端末１に近距離通信により、通信サービスの提供先を携帯端末１に切り替える旨の信号（切替解除指示信号）を携帯端末１に送信する（ＳＴ３２）。携帯端末１においては、近距離通信部１８で切替解除指示信号を受信する。携帯端末１はＦＯＭＡ網の圏外であるので、ベアラ切り替え部１６で無線ＬＡＮ用のインタフェースに切り替える。そして、通信制御部１２から無線ＬＡＮにより、通信サービスの提供先を携帯端末１に切り替える旨の信号（切替解除指示信号）を移動通信センタ５に送信する。このとき、切替解除指示信号は、ＡＰ４を経由して移動通信センタ５に送信される（ＳＴ３３，ＳＴ３４）。なお、ここでは、エンジンがＯＦＦしたときにユーザが降車したと判断しているが、本発明においては、エンジンがＯＦＦして所定時間経過した時点でユーザが降車したと判断しても良い。
【００６１】
移動通信センタ５においては、切替解除指示信号を受信すると、切り替え部５５で通信サービスの提供先を携帯端末１に自動的に切り替える（切替解除）（ＳＴ３５）。そして、情報更新部５３は、管理ＤＢ５４のテーブルにおける通信サービス提供先を車載装置から携帯端末に更新する。次いで、移動通信センタ５においては、通信サービスの提供先を切り替えた旨の信号（切替解除通知）を通信制御部５２から携帯端末１に送信する。この場合、切替解除通知は、ＡＰ４を経由して無線ＬＡＮにより移動通信センタ５から携帯端末１に送信される（ＳＴ３６，ＳＴ３７）。
【００６２】
携帯端末１においては、切替解除通知を通信制御部１２で受信し、その後、演出部１５で所定の演出パターンで切替解除をユーザに報知する（ＳＴ３８）。これにより、ユーザは、通信サービスの提供先が携帯端末１に切り替わったことを認識することができる。なお、演出パターンについては特に制限はない。
【００６３】
（送信態様４）
この態様は、ユーザが車両を降車したかどうかを近距離通信ができたかどうかで判断し、携帯端末１がＦＯＭＡ網の圏内であり、車載装置３がＦＯＭＡ網の圏外である場合の態様である。この態様について、図１０に示すシーケンス図を用いて説明する。
【００６４】
まず、携帯端末１は、近距離通信部１８から車載装置３に対して監視信号を近距離通信により定期的に送信する（ＳＴ４１，ＳＴ４３）。車載装置３は、近距離通信部３８で監視信号を受信すると、携帯端末１に対して確認信号を送信する（ＳＴ４２）。携帯端末１において、監視信号に対して車載装置３からの確認信号を受信できないときは、携帯端末１が車載装置３から十分に離れた、すなわち降車したと判断して、携帯端末１は、移動通信センタ５に対して、通信制御部１２からＦＯＭＡ網を介して移動通信により切替解除指示信号を送信する（ＳＴ４４）。
【００６５】
移動通信センタ５においては、切替解除指示信号を受信すると、切り替え部５５で通信サービスの提供先を携帯端末１に自動的に切り替える（切替解除）（ＳＴ４５）。そして、情報更新部５３は、管理ＤＢ５４のテーブルにおける通信サービス提供先を車載装置から携帯端末に更新する。次いで、移動通信センタ５においては、通信サービスの提供先を切り替えた旨の信号（切替解除通知）を通信制御部５２から携帯端末１に送信する（ＳＴ４６）。この場合、切替解除通知は、ＦＯＭＡ網を介して移動通信により移動通信センタ５から携帯端末１に送信される。
【００６６】
携帯端末１においては、切替解除通知を通信制御部１２で受信し、その後、演出部１５で所定の演出パターンで切替解除をユーザに報知する（ＳＴ４７）。これにより、ユーザは、通信サービスの提供先が携帯端末１に切り替わったことを認識することができる。なお、演出パターンについては特に制限はない。
【００６７】
（送信態様５）
この態様は、ユーザが車両を降車したかどうかを近距離通信ができたかどうかで判断し、携帯端末１及び車載装置３がいずれもＦＯＭＡ網の圏外である場合の態様である。この態様について、図１１に示すシーケンス図を用いて説明する。
【００６８】
まず、携帯端末１は、近距離通信部１８から車載装置３に対して監視信号を近距離通信により定期的に送信する（ＳＴ５１，ＳＴ５３）。車載装置３は、近距離通信部３８で監視信号を受信すると、携帯端末１に対して確認信号を送信する（ＳＴ５２）。携帯端末１において、監視信号に対して車載装置３からの確認信号を受信できないときは、携帯端末１が車載装置３から十分に離れた、すなわち降車したと判断する。携帯端末１はＦＯＭＡ網の圏外であるので、ベアラ切り替え部１６で無線ＬＡＮ用のインタフェースに切り替える。そして、通信制御部１２から無線ＬＡＮにより、通信サービスの提供先を携帯端末１に切り替える旨の信号（切替解除指示信号）を移動通信センタ５に送信する。このとき、切替解除指示信号は、ＡＰ４を経由して移動通信センタ５に送信される（ＳＴ５４，ＳＴ５５）。
【００６９】
移動通信センタ５においては、切替解除指示信号を受信すると、切り替え部５５で通信サービスの提供先を携帯端末１に自動的に切り替える（切替解除）（ＳＴ５６）。そして、情報更新部５３は、管理ＤＢ５４のテーブルにおける通信サービス提供先を車載装置から携帯端末に更新する。次いで、移動通信センタ５においては、通信サービスの提供先を切り替えた旨の信号（切替解除通知）を通信制御部５２から携帯端末１に送信する。この場合、切替解除通知は、ＡＰ４を経由して無線ＬＡＮにより移動通信センタ５から携帯端末１に送信される（ＳＴ５７，ＳＴ５８）。
【００７０】
携帯端末１においては、切替解除通知を通信制御部１２で受信し、その後、演出部１５で所定の演出パターンで切替解除をユーザに報知する（ＳＴ５９）。これにより、ユーザは、通信サービスの提供先が携帯端末１に切り替わったことを認識することができる。なお、演出パターンについては特に制限はない。
【００７１】
本発明は上記実施の形態に限定されず、種々変更して実施することが可能である。上記実施の形態においては、切替解除指示信号や切替解除通知の送信態様を分けて説明しているが、本発明においては、移動通信の圏内、圏外を検知して、その状態に応じて自動的に上記送信態様を選択して切替解除指示信号や切替解除通知を送信するようにしても良い。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００７２】
【図１】本発明の実施の形態に係る通信サービス提供先切り替えシステムを説明するための概略構成を示す図である。
【図２】図１に示すシステムにおける携帯端末の概略構成を示すブロック図である。
【図３】図１に示すシステムにおける車載装置の概略構成を示すブロック図である。
【図４】図１に示すシステムにおける移動通信センタの概略構成を示すブロック図である。
【図５】図４に示す移動通信センタにおける管理データベースのテーブルを示す図である。
【図６】（ａ）〜（ｃ）は、携帯端末と車載装置との間の認証を説明するための図である。
【図７】本発明の実施の形態に係る通信サービス提供先切り替え方法を説明するためのシーケンス図である。
【図８】本発明の実施の形態に係る通信サービス提供先切り替え方法を説明するためのシーケンス図である。
【図９】本発明の実施の形態に係る通信サービス提供先切り替え方法を説明するためのシーケンス図である。
【図１０】本発明の実施の形態に係る通信サービス提供先切り替え方法を説明するためのシーケンス図である。
【図１１】本発明の実施の形態に係る通信サービス提供先切り替え方法を説明するためのシーケンス図である。
【符号の説明】
【００７３】
１  携帯端末
２  移動通信網
３  車載装置
４  ＡＰ
５  移動通信センタ
１１，３１，５１  制御部
１２，３２，５２  通信制御部
１３，３３  表示部
１４，３４  操作部
１５  演出部
１６，３５  ベアラ切り替え部
１７，３６  認証部
１８，３８  近距離通信部
１９，３９，５６  アプリ制御部
３７  エンジン監視部
５３  情報更新部
５４  管理ＤＢ
５５  切り替え部
【図１】
2008294864.tif 000003
【図２】
2008294864.tif 000004
【図３】
2008294864.tif 000005
【図４】
2008294864.tif 000006
【図５】
2008294864.tif 000007
【図６】
2008294864.tif 000008
【図７】
2008294864.tif 000009
【図８】
2008294864.tif 000010
【図９】
2008294864.tif 000011
【図１０】
2008294864.tif 000012
【図１１】
2008294864.tif 000013